(57)【要約】【課題】  さまざまな形状の時計付属品を保持することができる腕時計展示具を提供する。【解決手段】  腕時計展示具は、ベース部と、ベース部よりも上方に配置され、腕時計を保持する保持部と、ベース部と保持部との間に配置され、ベース部と保持部とを接続する接続部と、接続部又はベース部に連結され、弾性復元力によってベース部との間で時計付属品を挟むために弾性を有する挟み部と、を備える。【選択図】  図１
2019136379.tif 000002
【特許請求の範囲】
【請求項１】
ベース部と、
前記ベース部よりも上方に配置され、腕時計を保持する保持部と、
前記ベース部と前記保持部との間に配置され、前記ベース部と前記保持部とを接続する接続部と、
前記接続部又は前記ベース部に連結され、弾性復元力によって前記ベース部との間で時計付属品を挟むために弾性を有する挟み部と、を備える、腕時計展示具。
【請求項２】
前記接続部は、前記挟み部に連結される挟み連結部を、後端部に備え、
前記挟み部は、平板状に形成される、請求項１に記載の腕時計展示具。
【請求項３】
前記接続部は、前記保持部を支持する支持部と、前記保持部に連結される保持連結部と、を備え、
前記支持部は、下方に向けて凸状となるように湾曲する板状の湾曲部を備え、
前記保持連結部は、前記湾曲部に連結され、
前記挟み連結部は、円弧状に屈曲した板状に形成され、
前記挟み連結部の下端位置は、前記湾曲部の下端位置よりも、上方に配置される、請求項２に記載の腕時計展示具。
【請求項４】
前記接続部は、前記腕時計の重量によって前記挟み部に下方への力を加えるために、弾性を有する弾性部を備える、請求項２又は３に記載の腕時計展示具。
【請求項５】
前記ベース部は、横方向の中央部が上方向に向けて凸状となるように、形成される、請求項１〜４の何れか１項に記載の腕時計展示具。
【発明の詳細な説明】
【技術分野】
【０００１】
本発明は、腕時計展示具に関する。
【背景技術】
【０００２】
従来、腕時計展示具は、ベース部と、腕時計を保持する保持部と、ベース部と保持部とを接続する接続部とを備えている（例えば、特許文献１及び２）。そして、保持部が腕時計を保持することによって、腕時計は、展示される。
【０００３】
ところで、腕時計の付属品（以下、「時計付属品」という）として、例えば、取扱説明書、部品又は付録（景品）等が存在する。そして、腕時計だけでなく、時計付属品も、腕時計展示具に保持させて展示したいという要望がある。一方で、時計付属品の形状（大きさ、厚み）は、さまざまである。
【先行技術文献】
【特許文献】
【０００４】
【特許文献１】特開２００９−１５３５３３号公報
【特許文献２】実用新案登録第３０９７５８７号公報
【発明の概要】
【発明が解決しようとする課題】
【０００５】
そこで、課題は、さまざまな形状の時計付属品を保持することができる腕時計展示具を提供することである。
【課題を解決するための手段】
【０００６】
腕時計展示具は、ベース部と、前記ベース部よりも上方に配置され、腕時計を保持する保持部と、前記ベース部と前記保持部との間に配置され、前記ベース部と前記保持部とを接続する接続部と、前記接続部又は前記ベース部に連結され、弾性復元力によって前記ベース部との間で時計付属品を挟むために弾性を有する挟み部と、を備える。
【０００７】
また、腕時計展示具においては、前記接続部は、前記挟み部に連結される挟み連結部を、後端部に備え、前記挟み部は、平板状に形成される、という構成でもよい。
【０００８】
また、腕時計展示具においては、前記接続部は、前記保持部を支持する支持部と、前記保持部に連結される保持連結部と、を備え、前記支持部は、下方に向けて凸状となるように湾曲する板状の湾曲部を備え、前記保持連結部は、前記湾曲部に連結され、前記挟み連結部は、円弧状に屈曲した板状に形成され、前記挟み連結部の下端位置は、前記湾曲部の下端位置よりも、上方に配置される、という構成でもよい。
【０００９】
また、腕時計展示具においては、前記接続部は、前記腕時計の重量によって前記挟み部に下方への力を加えるために、弾性を有する弾性部を備える、という構成でもよい。
【００１０】
また、腕時計展示具においては、前記ベース部は、横方向の中央部が上方向に向けて凸状となるように、形成される、という構成でもよい。
【図面の簡単な説明】
【００１１】
【図１】図１は、一実施形態に係る腕時計展示具の全体斜視図である。
【図２】図２は、同実施形態に係る腕時計展示具の全体側面図である。
【図３】図３は、同実施形態に係る腕時計展示具の全体側面図であって、腕時計及び時計付属品を保持している状態を示す図である。
【図４】図４は、同実施形態に係る腕時計展示具の要部側面図である。
【図５】図５は、同実施形態に係る腕時計展示具の要部背面図である。
【図６】図６は、同実施形態に係る腕時計展示具の要部側面図であって、作用を説明する図である。
【図７】図７は、同実施形態に係る腕時計展示具の要部側面図であって、作用を説明する図である。
【図８】図８は、同実施形態に係る腕時計展示具の要部側面図であって、作用を説明する図である。
【図９】図９は、同実施形態に係る腕時計展示具の要部背面図であって、作用を説明する図である。
【図１０】図１０は、他の実施形態に係る腕時計展示具の要部側面図である。
【図１１】図１１は、さらに同実施形態に係る腕時計展示具の要部側面図である。
【図１２】図１２は、さらに同実施形態に係る腕時計展示具の要部側面図である。
【図１３】図１３は、さらに同実施形態に係る腕時計展示具の要部側面図である。
【発明を実施するための形態】
【００１２】
以下、腕時計展示具における一実施形態について、図１〜図９を参照しながら説明する。なお、各図（図１０〜図１３も同様）において、図面の寸法比と実際の寸法比とは、必ずしも一致しておらず、また、各図面の間での寸法比も、必ずしも一致していない。
【００１３】
図１〜図３に示すように、腕時計展示具１は、腕時計Ｘを保持した状態で所定の平面Ｖの上に置かれることで、腕時計Ｘを展示するために使用される。例えば、腕時計展示具１は、ショーケースの中に複数並べられ、腕時計Ｘを陳列するために使用される。
【００１４】
腕時計展示具１は、平面Ｖの上に置かれるベース部２と、ベース部２よりも上方に配置され、腕時計Ｘを保持する保持部３と、ベース部２と保持部３との間に配置され、ベース部２と保持部３とを接続する接続部４とを備えている。また、腕時計展示具１は、ベース部２との間で時計付属品Ｙを挟むために、ベース部２と接続部４との間に配置される挟み部５を備えている。
【００１５】
本実施形態においては、腕時計展示具１の各部２〜５は、分離不能に一体となるように形成されている。なお、腕時計展示具１の各部２〜５は、互いに着脱可能に形成されていてもよく、例えば、保持部３は、接続部４に対して着脱可能に形成されていてもよい。
【００１６】
また、本実施形態においては、腕時計展示具１は、一つの材質で形成されている。例えば、腕時計展示具１は、硬質樹脂や金属で形成されることが好ましい。なお、腕時計展示具１は、各部２〜５ごとに（例えば、保持部３とその他部２，４〜５とで）、異なる材質で形成されていてもよい。
【００１７】
なお、各図、及び、以下の説明において、各方向Ｄ１〜Ｄ３は、腕時計展示具１が平面Ｖの上に置かれている状態を基準として、定められている。第１方向Ｄ１は、前後方向Ｄ１ともいい、第１方向Ｄ１のうち、図における矢印方向は、前方とし、図における矢印方向と反対方向は、後方とする。第１方向Ｄ１と直交する第２方向Ｄ２は、横方向（左右方向）Ｄ２といい、第２方向Ｄ２のうち、図における矢印方向を左方とし、図における矢印方向と反対方向を右方とする。
【００１８】
第１方向Ｄ１及び第２方向Ｄ２とそれぞれ直交する第３方向Ｄ３は、上下方向Ｄ３といい、第３方向Ｄ３のうち、図における矢印方向は、上方とし、図における矢印方向と反対方向は、下方とする。なお、前後、左右、及び上下については、説明の便宜上で用いるためであって、腕時計展示具１が平面Ｖの上に置かれていない状態（例えば、腕時計展示具１が手に持たれている状態）において、前後が反対になったり、左右が反対になったり、そして、上下が反対になったりしてもよいことは勿論である。
【００１９】
ベース部２は、平板状に形成されている。そして、ベース部２は、前後方向Ｄ１に沿って延びている。具体的には、ベース部２の前後方向Ｄ１の寸法は、ベース部２の横方向Ｄ２の寸法よりも、大きくなっている。なお、ベース部２は、斯かる構成に限られない。要するに、ベース部２は、平面Ｖの上に置かれることが可能な下面を有し、挟み部５との間に時計付属品Ｙを挟めることが可能な上面を有している構成であれば、特に限定されない。
【００２０】
保持部３は、腕時計Ｘに巻き付けられるために、環状に形成されている。なお、保持部３は、斯かる構成に限られない。例えば、保持部３は、腕時計Ｘを引っ掛けるために、鉤状に形成されていてもよい。要するに、保持部３は、腕時計Ｘを保持可能な構成であれば、特に限定されない。
【００２１】
接続部４は、保持部３を支持する支持部６と、保持部３に連結される保持連結部７と、挟み部５に連結される挟み連結部８とを備えている。そして、支持部６は、ベース部２から上方へ延びる立上部６ａと、立上部６ａから後方へ湾曲して延びる湾曲部６ｂと、立上部６ａと支持部６ｂとを連結する屈曲部６ｃとを備えている。
【００２２】
立上部６ａは、板状に形成されている。そして、立上部６ａは、ベース部２から傾斜するように、延びている。具体的には、立上部６ａは、上方に行くにつれて後方へ向かうように、延びている。また、立上部６ａは、上方に向けて凸状となるように、緩やかに湾曲している。なお、立上部６ａは、凹部１ａに挿入されたカード状の表示体（商品情報表示体、広告表示体）Ｚを支持できる。
【００２３】
湾曲部６ｂは、板状に形成されている。そして、湾曲部６ｂは、下方に向けて凸状となるように、湾曲して形成されている。具体的には、湾曲部６ｂは、環状の保持部３に沿うように、湾曲して配置されている。これにより、湾曲部６ｂは、横方向Ｄ２視において、下方に凹むように、形成されている。即ち、湾曲部６ｂの前後方向Ｄ１の中央部は、湾曲部６ｂの前端部及び後端部よりも、下方に位置している。
【００２４】
保持連結部７は、湾曲部６ｂに連結されている。具体的には、保持連結部７は、湾曲部６ｂの右端部（横方向Ｄ２の一端部）に連結されている。そして、湾曲部６ｂが下方に凹むように形成されているため、保持部３を下方に位置させることができる。これにより、腕時計展示具１の上下方向Ｄ３の寸法を小さくすることができる。
【００２５】
挟み連結部８は、湾曲部６ｂに連結されている。具体的には、挟み連結部８は、湾曲部６ｂの後端部に連結されている。したがって、挟み連結部８は、接続部４の後端部に配置されている。そして、挟み連結部８は、円弧状に屈曲した板状に形成されている。本実施形態においては、挟み連結部８は、横方向Ｄ２視において、真円の一部である円弧に形成されている。なお、挟み連結部８は、横方向Ｄ２視において、楕円の一部である円弧に形成されていてもよい。
【００２６】
挟み部５は、平板状に形成される。具体的には、挟み部５は、下方に向けて凸状となるように、緩やかに湾曲している。そして、挟み部５は、弾性復元力によってベース部２との間で時計付属品Ｙを挟むために、弾性を有している。即ち、挟み連結部８及び挟み部５は、円弧と直線部とを有する薄板バネ構造である。
【００２７】
挟み部５の幅（横方向Ｄ２の寸法）は、後方（基端）から前方（先端）に向けて、狭くなっている。具体的には、挟み部５は、後方に、幅が広い幅広部５ａを備え、前方に、幅が狭い幅狭部５ｂを備え、幅広部５ａと幅狭部５ｂとの間に、幅が後方から前方に向けて狭くなる幅変化部５ｃを備えている。これにより、挟み部５は、前方ほど、弾性変形し易くなっている。
【００２８】
ところで、接続部４は、弾性を有する弾性部４ａを備えている。本実施形態においては、弾性部４ａは、支持部６の一部、具体的には、立上部６ａ及び屈曲部６ｃで構成されている。なお、立上部６ａの厚みは、挟み部５の厚みよりも、厚くなっている。これにより、挟み部５は、接続部４の弾性部４ａよりも、弾性変形し易くなっている。
【００２９】
また、図４に示すように、湾曲部６ｂの下端位置６ｄとベース部２との距離Ｗ１と、挟み部５の厚みＷ２とに基づいて、保持可能な時計付属品Ｙの上下方向Ｄ３の最大寸法が決まる。具体的には、保持可能な時計付属品Ｙの最大寸法は、湾曲部６ｂの下端位置６ｄとベース部２との距離Ｗ１から、挟み部５の厚みＷ２を差し引いた寸法（Ｗ１−Ｗ２）である。
【００３０】
そこで、挟み連結部８の下端位置８ａは、湾曲部６ｂの下端位置６ｄよりも、上方に配置されている。これにより、挟み連結部８の下端位置８ａとベース部２との距離Ｗ３は、保持可能な時計付属品Ｙの最大寸法（Ｗ１−Ｗ２）よりも大きくなる。したがって、保持可能な時計付属品Ｙは、挟み連結部８の下端位置８ａとベース部２との間を通過できる。
【００３１】
なお、挟み連結部８の下端位置８ａは、挟み部５と挟み連結部８との境界位置であり、弾性変形する部分としない部分との境界位置である。本実施形態においては、挟み連結部８の下端位置８ａは、横方向Ｄ２視において、挟み連結部８の外縁が仮想円８ｂと一致する部分の、下端位置８ａである。また、挟み部５が復元している（弾性変形していない）状態において、挟み部５とベース部２との距離Ｗ４は、後方から前方に向けて、小さくなっている。
【００３２】
また、図５に示すように、ベース部２は、横方向Ｄ２の中央部が上方向に向けて凸状となるように、形成されている。即ち、ベース部２の厚み（上下方向Ｄ３の寸法）は、横方向Ｄ２の端部から中央に向けて、厚くなっている。
【００３３】
本実施形態に係る腕時計展示具１の構成については以上の通りであり、次に、本実施形態に係る腕時計展示具１が時計付属品Ｙを保持する方法を図６〜図９を参照しながら説明する。
【００３４】
図６に示すように、時計付属品Ｙは、挟み部５とベース部２との間を後方から前方に向けて移動される。なお、図６（図７も同様）の時計付属品Ｙの上下方向Ｄ３の寸法Ｗ５は、保持可能な時計付属品Ｙの最大寸法（Ｗ１−Ｗ２）である。そして、挟み連結部８の下端位置８ａが十分に上方に配置されているため、時計付属品Ｙは、挟み連結部８とベース部２との間を通過できる。
【００３５】
その後、時計付属品Ｙが移動することに伴って、挟み部５は、弾性変形する。これにより、時計付属品Ｙは、挟み部５及びベース部２に案内される。そして、図７に示すように、時計付属品Ｙが所望の位置に位置した際に、挟み部５は、時計付属品Ｙの形状に対応して弾性変形している。これにより、時計付属品Ｙは、挟み部５の弾性復元力によって、挟み部５とベース部２との間に保持される。このとき、挟み部５は、湾曲部６ｂの下端位置６ｄに接している。
【００３６】
また、腕時計Ｘの重量は、接続部４の弾性部４ａを経由して、挟み部５に、下方への力として加えられている。これにより、挟み部５とベース部２との間で時計付属品Ｙを挟む力が大きくなる。なお、弾性部４ａは、弾性変形していない（又は、僅かに弾性変形している）。
【００３７】
また、図８及び図９に示すように、挟み部５は、時計付属品Ｙの形状に対応して、弾性変形している。このように、腕時計展示具１は、さまざまな形状の時計付属品Ｙを保持することができる。しかも、挟み部５が時計付属品Ｙの形状に対応して弾性変形しているため、保持部３や支持部４の位置（高さ）は、変わることなく、一定である。これにより、複数の腕時計Ｘが腕時計提示具１に保持されて展示される際に、時計付属品Ｙの形状が異なっていても、複数の腕時計Ｘの位置や表示体Ｚの傾斜角度等を揃えることができる。
【００３８】
また、図８及び図９に示すように、ベース部２の横方向Ｄ２の中央部が、上方向に向けて凸状となっているため、時計付属品Ｙも、上方向に向けて凸状となるように、湾曲している。これにより、時計付属品Ｙが横方向Ｄ２に位置ずれすることを抑制することができる。
【００３９】
以上より、本実施形態に係る腕時計展示具１は、ベース部２と、前記ベース部２よりも上方に配置され、腕時計Ｘを保持する保持部３と、前記ベース部２と前記保持部３との間に配置され、前記ベース部２と前記保持部３とを接続する接続部４と、前記接続部４又は前記ベース部２（本実施形態においては、接続部４）に連結され、弾性復元力によって前記ベース部２との間で時計付属品Ｙを挟むために弾性を有する挟み部５と、を備える。
【００４０】
斯かる構成によれば、挟み部５は、弾性を有しており、また、挟み部５は、接続部４又はベース部２に連結されている。そして、挟み部５が、時計付属品Ｙの形状に対応して弾性変形しているため、時計付属品Ｙは、挟み部５の弾性復元力によって、挟み部５とベース部２との間に挟まれる。これにより、さまざまな形状の時計付属品Ｙを保持することができる。
【００４１】
また、本実施形態に係る腕時計展示具１においては、前記接続部４は、前記挟み部５に連結される挟み連結部８を、後端部に備え、前記挟み部５は、平板状に形成される、という構成である。
【００４２】
斯かる構成によれば、挟み部５は、接続部４の後端部から前方に向けて延びるように、平板状に形成されている。これにより、時計付属品Ｙは、挟み部５とベース部２との間を後方から前方に向けて移動する際に、挟み部５及びベース部２に案内される。これに伴って、挟み部５が弾性変形し、時計付属品Ｙは、挟み部５とベース部２との間に挟まれて、保持される。したがって、例えば、挟み部５とベース部２との間に時計付属品Ｙを保持させる作業を容易にすることができる。
【００４３】
また、本実施形態に係る腕時計展示具１においては、前記接続部４は、前記保持部３を支持する支持部６と、前記保持部３に連結される保持連結部７と、を備え、前記支持部６は、下方に向けて凸状となるように湾曲する板状の湾曲部６ｂを備え、前記保持連結部７は、前記湾曲部６ｂに連結され、前記挟み連結部８は、円弧状に屈曲した板状に形成され、前記挟み連結部８の下端位置８ａは、前記湾曲部６ｂの下端位置６ｄよりも、上方に配置される、という構成である。
【００４４】
斯かる構成によれば、湾曲部６ｂは、板状に形成されており、下方に向けて凸状となるように湾曲している。そして、保持連結部７が湾曲部６ｂに連結されているため、保持部３を下方に位置させることができる。これにより、腕時計展示具１の上下方向Ｄ３の寸法を小さくすることができる。
【００４５】
一方で、挟み連結部８は、円弧状に屈曲した板状に形成されている。さらに、挟み連結部８の下端位置８ａは、湾曲部６ｂの下端位置６ｄよりも、上方に配置されている。これにより、時計付属品Ｙの上下方向Ｄ３の寸法が大きい場合でも、時計付属品Ｙが挟み連結部８とベース部２との間を通過でき、その後、時計付属品Ｙを挟み部５とベース部２との間に挟んで保持することができる。
【００４６】
また、本実施形態に係る腕時計展示具１においては、前記接続部４は、前記腕時計Ｘの重量によって前記挟み部５に下方への力を加えるために、弾性を有する弾性部４ａを備える、という構成である。
【００４７】
斯かる構成によれば、腕時計Ｘの重量は、弾性部４ａを経由して、挟み部５に、下方への力として加えられる。これにより、挟み部５とベース部２との間で時計付属品Ｙを挟む力が大きくなるため、挟み部５とベース部２との間で時計付属品Ｙを確実に保持することができる。
【００４８】
また、本実施形態に係る腕時計展示具１においては、前記ベース部２は、横方向Ｄ２の中央部が上方向に向けて凸状となるように、形成される、という構成である。
【００４９】
斯かる構成によれば、ベース部２の横方向Ｄ２の中央部が、上方向に向けて凸状となっているため、時計付属品Ｙは、挟み部５とベース部２との間に挟まれた状態において、横方向Ｄ２に位置ずれし難い。これにより、時計付属品Ｙを挟み部５とベース部２との間で、時計付属品Ｙを確実に保持することができる。
【００５０】
なお、腕時計展示具１は、上記した実施形態の構成に限定されるものではなく、また、上記した作用効果に限定されるものではない。また、腕時計展示具１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５１】
（１）上記実施形態に係る腕時計展示具１においては、支持部６は、下方に向けて凸状となるように湾曲する板状の湾曲部６ｂを備える、という構成である。しかしながら、腕時計展示具１は、斯かる構成に限られない。例えば、図１０に示すように、支持部６は、平板状の平板部６ｅを備える、という構成でもよい。また、例えば、図１１に示すように、支持部６は、上方に向けて凸状となるように湾曲する板状の湾曲部６ｆを備える、という構成でもよい。
【００５２】
（２）また、上記実施形態に係る腕時計展示具１においては、挟み連結部８は、円弧状に屈曲した板状に形成されている、という構成である。しかしながら、腕時計展示具１は、斯かる構成に限られない。例えば、図１１に示すように、挟み連結部８は、鋭角に屈折した板状に形成されている、という構成でもよい。
【００５３】
（３）また、上記実施形態に係る腕時計展示具１においては、挟み連結部８は、接続部４の後端部に配置されている、即ち、湾曲部６ｂの後端部に連結されている、という構成である。しかしながら、腕時計展示具１は、斯かる構成に限られない。例えば、図１２に示すように、挟み連結部８は、接続部４の前後方向Ｄ１における中途部に配置されている、即ち、湾曲部６ｂの前後方向Ｄ１の中途部に連結されている、という構成でもよい。
【００５４】
（４）また、上記実施形態に係る腕時計展示具１においては、挟み部５は、接続部４に連結されている、という構成である。しかしながら、腕時計展示具１は、斯かる構成に限られない。例えば、図１３に示すように、挟み部５は、ベース部２に連結されている、という構成でもよい。
【００５５】
（５）また、上記実施形態に係る腕時計展示具１においては、挟み連結部８の下端位置８ａは、湾曲部６ｂの下端位置６ｄよりも、上方に配置されている、という構成である。しかしながら、腕時計展示具１は、斯かる構成が好ましいものの、斯かる構成に限られない。例えば、挟み連結部８の下端位置８ａは、湾曲部６ｂの下端位置６ｄよりも、下方に配置されている、という構成でもよい。
【００５６】
（６）また、上記実施形態に係る腕時計展示具１においては、接続部４は、腕時計Ｘの重量によって挟み部５に下方への力を加えるために、弾性部４ａを備えている、という構成である。しかしながら、腕時計展示具１は、斯かる構成が好ましいものの、斯かる構成に限られない。例えば、接続部４は、腕時計Ｘの重量を挟み部５に伝達することを抑制するために、全体的に剛性を有している、という構成でもよい。
【００５７】
（７）また、上記実施形態に係る腕時計展示具１においては、ベース部２は、横方向Ｄ２の中央部が上方向に向けて凸状となるように、形成されている、という構成である。しかしながら、腕時計展示具１は、斯かる構成が好ましいものの、斯かる構成に限られない。例えば、ベース部２は、上面が平坦となるように、形成されている、という構成でもよい。また、例えば、ベース部２は、横方向Ｄ２の上面の中央部が凹むように、形成されている、という構成でもよい。
【符号の説明】
【００５８】
１…腕時計展示具、１ａ…凹部、２…ベース部、３…保持部、４…接続部、４ａ…弾性部、５…挟み部、５ａ…幅広部、５ｂ…幅狭部、５ｃ…幅変化部、６…支持部、６ａ…立上部、６ｂ…湾曲部、６ｃ…屈曲部、６ｄ…下端位置、６ｅ…平板部、６ｆ…湾曲部、７…保持連結部、８…挟み連結部、８ａ…下端位置、Ｄ１…前後方向、Ｄ２…横方向、Ｄ３…上下方向、Ｖ…平面、Ｘ…腕時計、Ｙ…時計付属品、Ｚ…表示体
【図１】
2019136379.tif 000003
【図２】
2019136379.tif 000004
【図３】
2019136379.tif 000005
【図４】
2019136379.tif 000006
【図５】
2019136379.tif 000007
【図６】
2019136379.tif 000008
【図７】
2019136379.tif 000009
【図８】
2019136379.tif 000010
【図９】
2019136379.tif 000011
【図１０】
2019136379.tif 000012
【図１１】
2019136379.tif 000013
【図１２】
2019136379.tif 000014
【図１３】
2019136379.tif 000015
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
ベース部と、
前記ベース部よりも上方に配置され、腕時計を保持する保持部と、
前記ベース部と前記保持部との間に配置され、前記ベース部に回転不能に連結されることによって、前記ベース部と前記保持部とを接続する接続部と、
前記接続部に回転不能に連結され、弾性復元力によって前記ベース部との間で時計付属品を挟むために弾性を有する挟み部と、を備える、腕時計展示具。
【請求項２】
ベース部と、
前記ベース部よりも上方に配置され、腕時計を保持する保持部と、
前記ベース部と前記保持部との間に配置され、前記ベース部に回転不能に連結されることによって、前記ベース部と前記保持部とを接続する接続部と、
前記ベース部に回転不能に連結され、弾性復元力によって前記ベース部との間で時計付属品を挟むために弾性を有する挟み部と、を備える、腕時計展示具。
【請求項３】
前記接続部は、前記挟み部に連結される挟み連結部を、後端部に備え、
前記挟み部は、平板状に形成される、請求項１に記載の腕時計展示具。
【請求項４】
ベース部と、
前記ベース部よりも上方に配置され、腕時計を保持する保持部と、
前記ベース部と前記保持部との間に配置され、前記ベース部と前記保持部とを接続する接続部と、
前記接続部に連結され、弾性復元力によって前記ベース部との間で時計付属品を挟むために弾性を有する挟み部と、を備え、
前記接続部は、前記挟み部に連結される挟み連結部を、後端部に備え、
前記挟み部は、平板状に形成され、
前記接続部は、前記保持部を支持する支持部と、前記保持部に連結される保持連結部と、を備え、
前記支持部は、下方に向けて凸状となるように湾曲する板状の湾曲部を備え、
前記保持連結部は、前記湾曲部に連結され、
前記挟み連結部は、円弧状に屈曲した板状に形成され、
前記挟み連結部の下端位置は、前記湾曲部の下端位置よりも、上方に配置される、腕時計展示具。
【請求項５】
ベース部と、
前記ベース部よりも上方に配置され、腕時計を保持する保持部と、
前記ベース部と前記保持部との間に配置され、前記ベース部と前記保持部とを接続する接続部と、
前記接続部に連結され、弾性復元力によって前記ベース部との間で時計付属品を挟むために弾性を有する挟み部と、を備え、
前記接続部は、前記挟み部に連結される挟み連結部を、後端部に備え、
前記挟み部は、平板状に形成され、
前記接続部は、前記腕時計の重量によって前記挟み部に下方への力を加えるために、弾性を有する弾性部を備える、腕時計展示具。
【請求項６】
前記ベース部は、横方向の中央部が上方向に向けて凸状となるように、形成される、請求項１〜５の何れか１項に記載の腕時計展示具。